(57)【要約】【課題】造営材の裏側に照明器具を収容する空間が必要ではなく、容易に照明光を広げることができる照明器具を提供する。【解決手段】照明器具１０Ａは、第１造営材１１に対して交差する第２造営材１２の面方向に沿って配置され、第１造営材１１の面方向に対して平行な方向に光を出射する線状の光源３０を有する。光源３０の照射方向には、光源３０に入射端面４３を向けて配置され、第１造営材１１に対して平行な帯板状の導光部材４０Ａを有する。導光部材４０Ａは、入射端面４３に対して交差するとともに、導光部材４０Ａの厚み方向に対して交差し、かつ、第１造営材１１に対して反対側を向く第１面４１と、第１面４１に対して反対側を向く第２面４２とを有する。そして、第１面４１と第２面４２のうちの少なくとも一方に、光源３０の連続方向に対して平行な複数のリブ４６が設けられている。このため、リブ４６が設けられた側に容易に照明光を広げることができる。【選択図】図２
2015079716.tif 000002
【特許請求の範囲】
【請求項１】
第１造営材に対して交差する第２造営材の面方向に沿って配置され、前記第１造営材の面方向に対して平行な方向に光を出射する線状の光源と、
前記光源に入射端面を向けて配置され、前記第１造営材に対して平行な帯板状の導光部材と、を備え、
前記導光部材における前記入射端面に対して交差するとともに、前記導光部材の厚み方向に対して交差し、かつ、前記第１造営材に対して反対側を向く第１面と、
前記第１面に対して反対側の前記第１造営材を向く第２面とのうちの少なくとも一方に前記光源の連続方向に対して平行な複数のリブが設けられている照明器具。
【請求項２】
請求項１に記載の照明器具において、
前記リブが前記第２面に設けられている照明器具。
【請求項３】
請求項１に記載の照明器具において、
前記リブが前記第１面に設けられている照明器具。
【発明の詳細な説明】
【技術分野】
【０００１】
本発明は、造営材に取り付けられた光源からの光を導光部材を介して照射する照明器具に関するものである。
【背景技術】
【０００２】
従来、造営材に取り付けられたＬＥＤ光源からの光を、導光部材を介して照射する照明器具が知られている（例えば、特許文献１参照）。
図１２に示すように、特許文献１に記載の照明器具（照明装置）１００は、浴室ユニット１０１の天井１０２に取り付けて使用される。
天井１０２は、２枚の天井材１０３で構成されており、両天井材１０３の間には、天井裏に突出して下面が浴室内に露出する２枚の保持片１０４が取り付けられている。照明器具１００は、２枚の保持片１０４の間に保持される。
【０００３】
照明器具１００は、長尺な直方体形状の導光部材（導光材）１０５が、２枚の保持片１０４の間に保持されており、導光部材１０５の下端面が、天井１０２から浴室内に露出する。
導光部材１０５の上部には、導光部材１０５の上端面に対向するＬＥＤ光源１０７を有する光源ユニット１０６が取り付けられている。
従って、光源ユニット１０６のＬＥＤ光源１０７から発せられた光は、導光部材１０５の上端面に入射され、導光部材１０５の下端面から浴室内に照射される。これにより、浴室内は、直線状の照明器具１００によって照明される。
【先行技術文献】
【特許文献】
【０００４】
【特許文献１】特開２０１１−２３３２４０号公報
【発明の概要】
【発明が解決しようとする課題】
【０００５】
前述した特許文献１に記載の従来の照明器具においては、導光部材の上端面から入射した光を下端面から出射させて、浴室ユニット等の浴室内を照明するため、天井の裏側に照明器具を収容する空間が必要となるという問題があった。
また、出射面が天井に面一で露出して光を出射するため、配光制御が困難であり、光に広がりがないという問題があった。
【０００６】
本発明は、従来の問題を解決するためになされたもので、造営材の裏側に照明器具を収容する空間を設けることなく、配光制御が簡単で、広い配光を有する照明器具を提供することを目的とする。
【課題を解決するための手段】
【０００７】
本発明の照明器具は、第１造営材に対して交差する第２造営材の面方向に沿って配置され、前記第１造営材の面方向に対して平行な方向に光を出射する線状の光源と、前記光源に入射端面を向けて配置され、前記第１造営材に対して平行な帯板状の導光部材と、を備え、前記導光部材における前記入射端面に対して交差するとともに、前記導光部材の厚み方向に対して交差し、かつ、前記第１造営材に対して反対側を向く第１面と、前記第１面に対して反対側の前記第１造営材を向く第２面とのうちの少なくとも一方に前記光源の連続方向に対して平行な複数のリブが設けられているものである。
【０００８】
また、本発明の照明器具は、前記リブが前記第２面に設けられているものである。
【０００９】
さらに、本発明の照明器具は、前記リブが前記第１面に設けられているものである。
【発明の効果】
【００１０】
本発明は、光源からの光を入射端面から入射する導光部材のうち、第１造営材に対して反対側を向く第１面と第１造営材に向く第２面のうちの少なくとも一方に、光源の連続方向に対して平行な複数のリブが設けられている。このため、リブが設けられた側に容易に照明光を広げることができる。また、造営材の裏側に照明器具を収容する空間が必要ではなく、容易に取り付けることができるという効果を有する照明器具を提供できる。
【図面の簡単な説明】
【００１１】
【図１】本発明に係る第１実施形態の照明器具の使用状態を示す斜視図
【図２】本発明に係る第１実施形態の照明器具の断面図
【図３】図２中ＩＩＩ方向から見た側面図
【図４】導光部材から照射される光の強度を示すグラフ
【図５】導光部材から出射される光の経路を示す説明図
【図６】本発明に係る第２実施形態の照明器具の断面図
【図７】本発明に係る第３実施形態の照明器具の使用状態を示す斜視図
【図８】図７中ＶＩＩＩ部分の拡大断面図
【図９】本発明に係る第４実施形態の照明器具に用いる導光部材の断面図
【図１０】リブの形状の変形例を示す導光部材の断面図であり、（Ａ）は山型形状の場合、（Ｂ）は鋸刃形状の場合、（Ｃ）はリブ間隔を変える場合、（Ｄ）はリブの代わりに印刷部を設けた場合
【図１１】（Ａ）はリブを設けた面を壁面側に設けた場合の導光部材の断面図であり、（Ｂ）はリブを設けた面を壁面と反対側に設けた場合の断面図
【図１２】（Ａ）は従来の照明器具の取り付け構造を示す斜視図であり、（Ｂ）は（Ａ）中のＢ−Ｂ位置の断面図
【発明を実施するための形態】
【００１２】
（第１実施形態）
以下、本発明に係る第１実施形態の照明器具について、図面を用いて説明する。
図１および図２に示すように、第１実施形態の照明器具１０Ａは、第１造営材である壁面１２と、この壁面１２に対して交差する第２造営材である天井面１１との交差部分Ｒに用いることができる。
なお、以下の説明においては、照明器具１０Ａを、壁面１２と天井面１１との交差部分Ｒに取り付けた状態で、天井面１１側を「上」、天井面１１と反対側を「下」、照明器具１０Ａが取り付けられた壁面１２側を「後」、壁面１２と反対側を「前」として説明する。
【００１３】
図２に示すように、照明器具１０Ａは、天井面１１と壁面１２との交差部分Ｒに取り付けられる略矩形箱状の器具本体２０を有する。
器具本体２０は、天井面１１に対向する上板２３と、上板２３の下方に対向する下板２４を有する。上板２３と下板２４は、前板２２および後板２１で連結されている。
器具本体２０を壁面１２と天井面１１との交差部分Ｒに取り付けるには、ここでは、上板２３を天井面１１に取り付けるとともに後板２１を壁面１２に取り付けているが、上板２３または後板２１の一方のみを取り付けることもできる。
【００１４】
器具本体２０の内部空間Ｓには、光源３０が収容されている。光源３０は、器具本体２０の長手方向の略全長にわたって設けられている全体矩形板状のＬＥＤ基板３１を有している。ＬＥＤ基板３１には、長手方向（図２において紙面直交方向）に沿って複数個のＬＥＤ３２が直線状に配置されて実装されている。
これにより、光源３０は、天井面１１とは反対側の下方に向かって、直線状に光を照射する。
なお、器具本体２０は、天井面１１に壁面１２と平行に取り付けられるので、光源３０は、壁面１２の面方向に対して平行な直線状の光を発する。
【００１５】
光源３０の下方には、帯板状の導光部材４０Ａの一端部が取り付けられている。導光部材４０Ａは、器具本体２０の下板２４に長手方向略全長にわたって設けられている開口部２４１から、壁面１２と平行に器具本体２０の下方に突出している。
導光部材４０Ａは、導光部材４０Ａの厚み方向（すなわち、前後方向）に対して交差し、かつ、壁面１２に対して反対側を向く第１面４１と、第１面４１に対して反対側の壁面１２を向く第２面４２を有する。
ここでは、第１面４１は導光部材４０Ａの前面であり、第２面４２は導光部材４０Ａの後面である。
【００１６】
導光部材４０Ａの一端面（上端面）は、ＬＥＤ３２の下方で、ＬＥＤ基板３１の全長にわたって略平行に設けられる入射端面４３である。
入射端面４３には、光学フィルム４４が取り付けられており、ＬＥＤ３２からの光を拡散して導光部材４０Ａに入射させ、ＬＥＤ３２の粒々感を減少させている。
これにより、導光部材４０Ａから照射された光が使用者Ｍの目に入っても、眩しさを減少させることができる（図５参照）。
【００１７】
また、導光部材４０Ａの他端面である開放端面４５には、第１面４１および第２面４２と交差する傾斜面を設けることもできる。このとき、開放端面４５は、第１面４１側の稜線４１１よりも第２面４２側の稜線４２１が下方に突出するように傾斜させることができる。
なお、開放端面４５の傾斜角度θは、例えば、４５°程度とすることができる。
従って、導光部材４０Ａの内部を導光されて先端に達した光は、傾斜した開放端面４５で反射して後方に照射されるので、後方である壁面１２側に照射される光が多くなる（図５参照）。
【００１８】
第１面４１は平坦面であり、第２面４２の表面には、複数のリブ４６が設けられている。
図３に示すように、リブ４６は、例えば、ＬＥＤ基板３１に対して平行に延びる円柱の一部を、前後方向に隙間なく並べて形成することができる。リブ４６は、導光部材４０Ａの長手方向（図３において左右方向）の全長に設けられている。
なお、第２面４２において器具本体２０の内部に挿入されて支持される端部（上端部）には、リブ４６を設ける必要はない（図２参照）。
【００１９】
従って、図４に示すように、導光部材４０Ａの第２面４２から壁面１２側（後方）に照射される光は、リブ４６の働きにより、配光制御される。
これにより、図５に示すように、導光部材４０Ａから発せられた光は、後方に広く照射されて壁面１２で反射して、間接照明として使用者Ｍを照らすので、眩しさを減少させることができる。
【００２０】
第１実施形態の照明器具１０Ａの作用効果について説明する。
照明器具１０Ａは、壁面１２に対して交差する天井面１１の面方向に沿って配置され、壁面１２の面方向に対して平行な方向に光を出射する線状の光源３０を有する。光源３０の照射方向前方（下方）には、光源３０に入射端面４３を向けて配置され、壁面１２に対して平行な帯板状の導光部材４０Ａを有する。
導光部材４０Ａは、入射端面４３に対して交差するとともに、導光部材４０Ａの厚み方向に対して交差し、かつ、壁面１２に対して反対側を向く第１面４１と、第１面４１に対して反対側の壁面１２を向く第２面４２とを有する。
【００２１】
そして、第１面４１と第２面４２のうちの少なくとも一方（ここでは第２面４２）に、光源３０の連続方向に対して平行な複数のリブ４６を設けた。
このため、リブ４６の働きにより、リブ４６が設けられた側の照明光を配光制御して容易に広げることができる。
また、照明器具１０Ａを天井面１１と壁面１２の交差部分Ｒに取り付ける際に、天井面１１の裏側や壁面１２の裏側に照明器具１０Ａを収容する空間が必要でないため、天井面１１と壁面１２の交差部分Ｒに容易に後付けすることができる。
【００２２】
また、照明器具１０Ａは、導光部材４０Ａの壁面１２側の第２面４２にリブ４６を設けたので、壁面１２側の光を配光制御して容易に広げて照射することができる。
これにより、壁面１２で光を反射させて、前方や下方を照らす間接照明を容易に得ることができる。
【００２３】
（第２実施形態）
次に、第２実施形態の照明器具について、図面を用いて説明する。
なお、前述した第１実施形態の照明器具１０Ａと共通する部位には同じ符号を付して、重複する説明を省略することとする。
図６に示すように、第２実施形態の照明器具１０Ｂでは、リブ４６が導光部材４０Ｂの第１面４１に設けられている。ここでは、開放端面４５に、第１面４１側の稜線４１１よりも第２面４２側の稜線４２１が下方に突出するような傾斜を設けているため、導光部材４０Ｂは、前述した第１実施形態の導光部材４０Ａとは別個に形成される。
また、開放端面４５に傾斜面が設けられていない場合や、傾斜の向きが逆の場合には、前述した第１実施形態の照明器具１０Ａの導光部材４０Ａを前後逆に器具本体２０に取り付けることにより、第２実施形態の照明器具１０Ｂを得ることができる。
【００２４】
従って、リブ４６が第１面４１に設けられているので、導光部材４０Ｂの第１面４１から前方に照射される光は配光制御されて広がる。
これにより、導光部材４０Ｂから発せられた光は、前方および下方に広く照射されて、直接照明として使用者Ｍを照らすことができる。
【００２５】
第２実施形態の照明器具１０Ｂの作用効果について説明する。
第２実施形態の照明器具１０Ｂは、導光部材４０Ｂの第１面４１にリブ４６を設けたので、壁面１２とは反対側の前方への光を配光制御して、容易に光を広げて照射することができる。
なお、第１面４１から前方へ照射される光は、リブ４６によって広げられているので、使用者Ｍの目に入っても、眩しくない直接照明を得ることができる。
【００２６】
（第３実施形態）
次に、第３実施形態の照明器具について、図面を用いて説明する。
なお、前述した第１実施形態の照明器具１０Ａおよび第２実施形態の照明器具１０Ｂと共通する部位には同じ符号を付して、重複する説明を省略することとする。
図７に示すように、第３実施形態の照明器具１０Ｃは、例えば廊下１３の壁面１４に、廊下１３に沿って予め設けられている凹部１５の内部に埋め込んで使用することができる。
【００２７】
凹部１５は、壁面１４の上端部および下端部に設けられており、上端部に設けられている照明器具１０Ｃは、天井面１１に光を照射して反射光により廊下１３を間接的に照明する。また、下端部に設けられている照明器具１０Ｃは、廊下１３の床面を照らして、足元灯となる。
ここでは、壁面１４の上端部および下端部に設けられている場合を例示しているが、いずれか一方でも適用可能である。
なお、壁面１４の上端部に設けられている照明器具１０Ｃと、下端部に設けられている照明器具１０Ｃとは、同じ照明器具１０Ｃが上下反転したものである。従って、以下の説明においては、壁面１４の上端部に設けられている照明器具１０Ｃについて主に説明する。
【００２８】
図８に示すように、凹部１５は、第１造営材である奥壁１５１と、第２造営材である下壁１５３を有する。なお、廊下１３の壁面１４の下端部に設けられる照明器具１０Ｃにおいては、第２造営材は上壁１５２となる。
器具本体２０は、下壁１５３に取り付けられており、導光部材４０Ｃは、光源３０に入射端面４３を向けて第１造営材である奥壁１５１に対して平行に取り付けられている。
また、リブ４６が設けられている第２面４２は、奥壁１５１に対向しているが、反対側すなわち廊下１３側に向けることも可能である。
【００２９】
このように構成することにより、上側の照明器具１０Ｃが天井面１１に光を照射して、その反射光により間接照明を得ることができる。
また、下側の照明器具１０Ｃは、廊下１３の床面を照明するので、足元灯として用いることができる。
【００３０】
（第４実施形態）
次に、第４実施形態の照明器具について、図面を用いて説明する。
なお、前述した第１実施形態の照明器具１０Ａないし第３実施形態の照明器具１０Ｃと共通する部位には同じ符号を付して、重複する説明を省略することとする。
図９に示すように、第４実施形態の照明器具１０Ｄに用いられる導光部材４０Ｄでは、第１面４１は先端（下方）に向かって第２面４２側に傾斜している（図９中矢印Ａ参照）。また、第２面４２は先端（下方）に向かって第１面４１側に傾斜している（図９中矢印Ｂ参照）。
従って導光部材４０Ｄは、全体として先細りの楔形状を呈している。
また、図９においては、第２面４２にリブ４６を設けた場合を示しているが、第１面４１にリブ４６を設けることもできる。
【００３１】
このように構成しても、前述した第１実施形態の照明器具１０Ａと同様に、リブ４６の働きにより、リブ４６が設けられた側の照明光を配光制御して容易に広げることができる。
さらに、全体を楔形状とすることにより、第１面４１および第２面４２の全面から略均一に光を照射することができる。
【００３２】
本発明の照明器具は、前述した各実施形態に限定されるものでなく、適宜な変形、改良等が可能である。
なお、以下の説明においては、第１実施形態の照明器具１０Ａないし第４実施形態１０Ｄにおいて、照明器具１０Ａ、１０Ｂ、１０Ｃ、１０Ｄは「照明器具１０」と、導光部材４０Ａ、４０Ｂ、４０Ｃ、４０Ｄは「導光部材４０」と総称する。
例えば、前述した各実施形態においては、粒状のＬＥＤ３２を直線状に配置した光源３０について例示したが、本発明では、光源３０として直線状のライン型のＬＥＤを用いることもできる。
【００３３】
また、前述した実施形態においては、導光部材４０の第２面４２または第１面４１に設けたリブ４６の断面形状が、同じ大きさの円弧状である場合について例示したが、これに限らず、種々の形状を採用することができる。
図１０（Ａ）には、山型形状のリブ４６１を用いた導光部材４０を示す。また、図１０（Ｂ）には、鋸刃状のリブ４６２を用いた導光部材４０を示す。
また、前述したリブ４６、４６１、４６２では、等間隔で設けた場合を示したが、リブ間隔を、先端（前側）に行くほど小さくすることもできる。
この際、図１０（Ｃ）に示すように、リブ４６の形状自体を相似形で小さくすることにより、間隔を小さくすることができる。あるいは、断面が円の一部の場合には、直径を小さくすることにより、間隔を小さくすることができる。
【００３４】
さらに、図１０（Ｄ）に示すように、リブ４６を設ける代わりに、透過部４７１と不透過部４７２とを交互に配置した配光制御部として印刷部４７を設けることができる。
これにより、導光部材４０内部を導光された光は、透過部４７１では全反射により導光され、不透過部４７２に到達した光のうちの一部の光は拡散透過し、導光斜め方向に出射され、それ以外の光は拡散反射し、界面での屈折を経由して導光斜め方向に出射される。なお、導光斜め方向とは図４に示す配光を意味する。また、不透過部４７２はわずかでも不透過、すなわち透過率が透過部４７１よりも低ければ良いが、不透過部４７２の透過率が高すぎる（透過部４７１の透過率に近い）と効果を得られなくなるので、不透過部４７２の透過率は、透過部４７１に対して０％を越え５０％以下の透過率が好ましく、特に透過率が約５０％を有することが、一層好ましい。
このように、リブ４６の断面形状を変えたり印刷部４７を設けることにより、照明器具１０から照射される照明光の配光を制御することができる。印刷部４７は、ドット（点）等により、透過部と不透過部とを形成してもよい。なお、ドット以外にライン状の不透過部としてもよい。また、透過率はドット等の不透過部を、粗くあるいは密に適宜印刷し調整するようにしてもよい。
【００３５】
また、前述した各実施形態においては、導光部材４０においてリブ４６が設けられた面を壁面１２（奥壁１５１）側に向けた場合（図１１（Ａ）参照）および壁面１２（奥壁１５１）と反対側に向けた場合（図１１（Ｂ）参照）について示した。
このように、リブ４６が設けられた面をどちら側に向けることも可能であり、リブ４６を設けた面をどちらに向けるかで配光制御が若干異なるものの、全体として同様に光を照射できる。
【符号の説明】
【００３６】
１０Ａ、１０Ｂ、１０Ｃ、１０Ｄ  照明器具
１１  天井面（第２造営材）
１２  壁面（第１造営材）
１５１  奥壁（第１造営材）
１５２  上壁（第２造営材）
３０  光源
４０Ａ、４０Ｂ、４０Ｃ、４０Ｄ  導光部材
４１  第１面
４２  第２面
４３  入射端面
４６  リブ
【図１】
2015079716.tif 000003
【図２】
2015079716.tif 000004
【図３】
2015079716.tif 000005
【図４】
2015079716.tif 000006
【図５】
2015079716.tif 000007
【図６】
2015079716.tif 000008
【図７】
2015079716.tif 000009
【図８】
2015079716.tif 000010
【図９】
2015079716.tif 000011
【図１０】
2015079716.tif 000012
【図１１】
2015079716.tif 000013
【図１２】
2015079716.tif 000014